(57)【要約】【課題】発光ダイオードを用いて、組立が容易で光軸がずれにくいスポットライトを提供する。【解決手段】先部にレンズ２が装着されるソケット３と、レンズ２に光を供給する光源となる発光ダイオード４とを備えたスポットライト１において、レンズ２の光軸方向の長さは、ソケット３の内径に相当する長さよりも長く形成されていることを特徴とするスポットライト１としたものであり、レンズ２の光軸を側方に配置した状態で安定して水平面上に置くことができ、レンズ２の両面に接触傷が入ることが防止される。また、組立時には、ソケット３の内周面でレンズ２の周面を案内でき、また、固定時には、ソケット３の内周面でレンズ２の周面を保持するので、保持面積が広くなる。【選択図】  図１
2004158276.tif 000002
【特許請求の範囲】
【請求項１】
先部にレンズが装着されるソケットと、前記レンズに光を供給する光源となる発光ダイオードとを備えたスポットライトにおいて、
前記レンズの光軸方向の長さは、前記ソケットの内径に相当する長さよりも長く形成されていることを特徴とするスポットライト。
【請求項２】
前記レンズの前記発光ダイオード側は、前記発光ダイオードの光軸に直交する平面状に形成されていることを特徴とする請求項１に記載のスポットライト。
【請求項３】
前記ソケットは、前記レンズの外周を保持するとともに外側に雄ねじ部が形成された内筒部と、前記内筒部の雄ねじ部に螺合する雌ねじ部を内側に形成し、前記内筒部に螺合して前記レンズを締結する外筒部とを備え、
前記レンズは、前記外筒部の先側から着脱可能に形成されていることを特徴とする請求項１または２に記載のスポットライト。
【発明の詳細な説明】
【０００１】
【発明の属する技術分野】
本発明は、発光ダイオード（ＬＥＤ）を利用した半導体発光による照明装置に係り、特にレンズを着脱可能なソケットを設けた半導体発光装置に関する。
【０００２】
【従来の技術】
従来、スポットライトの光源としては、電球が多く用いられている。しかし、電球は、輝度が大きいが、電力消費量や発熱量が大きいため、これらを低減させる光源が求められている。
【０００３】
近年、高輝度の発光ダイオードが開発され、これを用いたライトも実用化されている。
【０００４】
例えば、特許文献１には、砲弾型の第１のレンズ内にＬＥＤを組み込み、この第１のレンズの前方に拡散板を配置し、さらにその前方に第２のレンズを配置したスポットライトが記載されている。
【０００５】
【特許文献１】
特開２０００−１８８００２号公報  （第２−４頁、第１図）
【０００６】
【発明が解決しようとする課題】
しかしながら、特許文献１に記載されたスポットライトは、第１のレンズと拡散板との間および拡散レンズと第２のレンズの間の空気層を通過しなければならないため、輝度が低下するという問題がある。
【０００７】
また、レンズの厚みが薄いためにこれを筒状のソケット内に固定することは困難で、組立に手間がかかる。また、スポットライトは、所定範囲を確実に照射する必要があるため、光軸のずれは大きな問題となっている。
【０００８】
そこで本発明は、発光ダイオードを用いて、組立が容易で光軸がずれにくいスポットライトを提供することを目的とする。
【０００９】
【課題を解決するための手段】
本発明のスポットライトにおいては、レンズの光軸方向の長さを、ソケットの内径に相当する長さよりも長く形成したことを特徴とするスポットライトとしたものである。
【００１０】
この発明によれば、組立が容易で光軸がずれにくいスポットライトが得られる。
【００１１】
【発明の実施の形態】
請求項１に記載の発明は、先部にレンズが装着されるソケットと、前記レンズに光を供給する光源となる発光ダイオードとを備えたスポットライトにおいて、前記レンズの光軸方向の長さは、前記ソケットの内径に相当する長さよりも長く形成されていることを特徴とするスポットライトとしたものであり、レンズの周面が水平面上に当接するような形で載置しても、倒れることがなく、レンズの両面に接触傷が入ることが防止されるという作用を有する。組立時には、ソケットの内周面でレンズの周面を案内でき、また、固定時には、ソケットの内周面でレンズの周面を保持するので、保持面積が広くなるという作用を有する。
【００１２】
請求項２に記載の発明は、前記レンズの前記発光ダイオード側は、前記発光ダイオードの光軸に直交する平面状に形成されていることを特徴とする請求項１に記載のスポットライトとしたものであり、発光ダイオードからの光を側方に反射させることを防止して、レンズ内に入射させるという作用を有する。
【００１３】
請求項３に記載の発明は、前記ソケットは、前記レンズの外周を保持するとともに外側に雄ねじ部が形成された内筒部と、前記内筒部の雄ねじ部に螺合する雌ねじ部を内側に形成し、前記内筒部に螺合して前記レンズを締結する外筒部とを備え、前記レンズは、前記外筒部の先側から着脱可能に形成されていることを特徴とする請求項１または２に記載のスポットライトとしたものであり、レンズを、焦点距離等の性能や色が異なる他のレンズ、または、側方に発光可能な透明ロッドと交換することを、ソケットを取り外さずに、行うことができる。
【００１４】
以下、本発明の実施の形態について、図１を用いて説明する。
【００１５】
（第１の実施の形態）
図１（Ａ）は本発明のスポットライトのソケットの右半分を省略した部分正面図、（Ｂ）は同スポットライトの部分右側断面図、（Ｃ）は同スポットライトのソケットの右半分を省略した部分底面図を示す。図１に示すように、スポットライト１は、先部にレンズ２が装着されるソケット３と、レンズ２に光を供給する光源となる発光ダイオード４とを備えている。
【００１６】
レンズ２は、例えば、アクリル等の透光性樹脂によって形成され、光軸方向の長さを、ソケット３の内径に相当する長さよりも長く形成している。また、レンズ２の発光ダイオード側面（基側面）は、発光ダイオード４の光軸に直交する平面状に形成され、先側面は球面状に形成されている。
【００１７】
ソケット３は、発光ダイオードを保持して先部にレンズ２の外周基部を支持した内筒部５と、レンズを締結固定する外筒部６を有している。
【００１８】
内筒部５の外周は、先部が後部より縮径して形成され、この先部には雄ねじ部７が形成されている。また、内筒部５の内周も先部が後部より縮径して形成されている。この先部の先端部には、拡径溝部が形成され、先部の後端部には、縮径リング部が形成されている。
【００１９】
発光ダイオード４は、砲弾形に形成され、頂部の高さを合わせて円形基板９に搭載されている。
【００２０】
発光ダイオード４を搭載した円形基板９は、ソケット３の内筒部５に先側から挿入され、縮径リング部に外周縁を支持されている。円形基板９に接続されたケーブル１０は、内筒部５の後端部に形成された切欠き１１を介して半径方向外側に引き出されている。
【００２１】
内筒部５の後端部には、外径を内筒部５の外径に合わせた環状板１２と、環状板１２の半径方向内側に基部が設けられ、先端で円形基板９を受ける筒部１３とを備えたキャップ部材１４が設けられている。
【００２２】
円形基板９の中央部には、先側から雄ねじ１５が挿入され、この雄ねじ１５は、筒部１３に螺合されている。かかる構成によって、円形基板９およびキャップ部材１４は内筒部５に締結固定されている。
【００２３】
内筒部５の拡径溝部は、レンズ２の外周基部を先側から嵌入して支持している。この状態では、レンズ２は、円形基板９に搭載された発光ダイオード４の頂部との間に、１ｍｍ以下、例えば０．５ｍｍの隙間をあけて配置されている。光源として発光ダイオード４を用いているので、レンズ２を近接させても電球等に比べて発熱が小さく、レンズ２の温度が上昇して変形することはない。また、発光ダイオード４からレンズ２に入射する前に、側方に向かう光の量を少なくして、スポットライト１の輝度を向上させることができる。
【００２４】
外筒部６は、外径を内筒部５の最大外径に合わせて形成され、内側に、内筒部５の雄ねじ部７に螺合する雌ねじ部１６を形成している。また、外筒部６の内周の先側端部は、レンズ２の外径に合わせて環状に形成されている。
【００２５】
内筒部５の雄ねじ部７、または外筒部６の雌ねじ部１６は、先側に向かって徐々に小径になるように形成されており、外筒部６を内筒部５に螺合させることにより内筒部５の拡径溝部は縮径し、レンズ２の外周基部を締結固定する。また、外筒部６を緩めることによりレンズ２と拡径溝部の締結が解除され、レンズ２は、外筒部６を取り外さずに、外筒部６の先側から着脱することができる。
【００２６】
次に、スポットライト１の使用状態について説明する。
【００２７】
まず、スポットライト１を、ケーブル１０を所定の電源または電源に接続されたコントローラに接続する。次いで、電源をＯＮにすると、発光ダイオード４が発光し、発光ダイオード４から出射された光は、レンズ２の基端面からレンズ２内に入射する。レンズ２内に入射した光は、先端の球状面から外側に集光されながら出射され、所定範囲を照らす。また、レンズ２内に入射した光のうち、周面に当たった光は、反射して球状面に向かう。このようにして、使用することができる。
【００２８】
【発明の効果】
以上のように本発明によれば、ソケットと発光ダイオードとを備えたスポットライトにおいて、レンズの光軸方向の長さを、ソケットの内径に相当する長さよりも長く形成したので、レンズの光軸を側方に配置した状態で安定して水平面上に置くことができ、レンズの両面に接触傷が入ることを防止でき、また、組立時には、ソケットの内周面でレンズの周面を案内できるので組立が容易で、また、固定時には、ソケットの内周面でレンズの周面を保持するので、保持面積が広くなり、光軸がずれにくくなる。
【００２９】
また、レンズの発光ダイオード側を、発光ダイオードの光軸に直交する平面状に形成すると、発光ダイオードからの光を側方に反射させることを防止して、レンズ内に入射させるので、輝度を向上させることができる。
【００３０】
また、ソケットを互いに螺合可能な内筒部および外筒部で構成し、レンズを、外筒部の先側から着脱可能に形成すると、レンズを、焦点距離等の性能や色が異なる他のレンズ、または、側方に発光可能な透明ロッドと交換することを、ソケットを取り外さずに、行うことができ、装置の取り扱いが簡単になる。
【図面の簡単な説明】
【図１】（Ａ）は本発明のスポットライトの部分正面図
（Ｂ）は同スポットライトの部分右側断面図
（Ｃ）は同スポットライトの部分底面図
【符号の説明】
１  スポットライト
２  レンズ
３  ソケット
４  発光ダイオード
５  内筒部
６  外筒部
７  雄ねじ部
９  円形基板
１０  ケーブル
１１  切欠き
１２  環状板
１３  筒部
１４  キャップ部材
１５  雄ねじ
１６  雌ねじ部
【図１】
2004158276.tif 000003